(57)【要約】【課題】製品（1）の上面を覆う包装用蓋材（50）、及び製品の周囲を覆う胴枠部材（20）と包装用蓋材（50）とを有する包装用箱（10）において、包装用蓋材（50）の構成を簡単にするとともに、製品（1）の包装作業をするときの作業性も高める。【解決手段】蓋部材（30）に、天板部（31）と、天板部（31）の端縁に連接して形成された折り返し片（32）とを設け、天板部（30）とその下方へ折り返された折り返し片（32）との間に補強部材（40）を挟持するように折り返し片（32）を折り曲げてから、包装用蓋材（50）を胴枠部材（20）に装着する。【選択図】図６
2014076810.tif 000002
【特許請求の範囲】
【請求項１】
製品（1）の平坦な上面（3）を覆う蓋部材（30）と、蓋部材（30）に保持される補強部材（40）とを有する包装用蓋材であって、
上記蓋部材（30）は、天板部（31）と、該天板部（31）の端縁に連接して形成された折り返し片（32）とを有し、該天板部（31）とその下方へ折り返された折り返し片（32）とにより上記補強部材（40）が挟持されるように構成されていることを特徴とする包装用蓋材。
【請求項２】
請求項１において、
上記補強部材（40）は、製品（1）の外形に対応する四角形状の部材であり、
上記蓋部材（30）の天板部（31）は補強部材（40）の外形と対応する四角形状に形成され、
上記天板部（31）の端縁における対向する二辺に上記折り返し片（32）が形成されていることを特徴とする包装用蓋材。
【請求項３】
請求項１または２において、
上記補強部材（40）は、４本の枠板（41，42）を組み合わせることにより形成され、
上記折り返し片（32）には、上記天板部（31）と枠板（41，42）の間に補強部材（40）の中心側から挿入される係合片（34）が形成されていることを特徴とする包装用蓋材。
【請求項４】
請求項３において、
上記補強部材（40）は、対向する一対の第１枠板（41）の端部に、対向する他の一対の第２枠板（42）の端部を重ねて固定することにより、隣り合う枠板（41，42）の間に形成された段差を有し、
上記補強部材（40）は、天板部（31）の端縁における折り返し片（32）側の対向する二辺に沿って天板部（31）と第１枠板（41）との間に上記段差に対応した隙間（G）が形成される一方で、天板部（31）の端縁における他の対向する二辺では天板部（31）と第２枠板（42）とが接触するように配置され、
上記折り返し片（32）の係合片（34）は、上記天板部（31）と第１枠板（41）の間の上記隙間（G）に補強部材（40）の中心側から挿入されるように形成されていることを特徴とする包装用蓋材。
【請求項５】
請求項２から４の何れか１つに記載された包装用蓋材（50）と、上記製品（1）の側板（2）を覆う胴枠部材（20）とを備えた包装用箱であって、
上記蓋部材（30）には、天板部（31）の端縁の対向する二辺に上記折り返し片（32）が形成される一方で、天板部（31）の端縁の対向する他の二辺に、上記胴枠部材（20）と製品（1）との間に挿入される挿入片（33）が形成されていることを特徴とする包装用箱。
【請求項６】
請求項５において、
上記胴枠部材（20）は、角筒形状に形成されるとともに、対角位置で互いに係脱可能な断面Ｌ形の２つの胴板（21）を有していることを特徴とする包装用箱。
【発明の詳細な説明】
【技術分野】
【０００１】
本発明は、製品の上面を覆う包装用蓋材、及び製品の側板の周囲を覆う胴枠部材と上記包装用蓋材とを有する包装用箱に関するものである。
【背景技術】
【０００２】
従来、製品の上面を覆う包装用蓋材、及び製品の側板の周囲を覆う胴枠部材と上記包装用蓋材とを有する包装用箱が知られている（例えば特許文献１参照）。特許文献１の包装用箱の包装用蓋材は、段ボールで形成された蓋部材と、蓋部材に保持される補強部材を有し、蓋部材を折り曲げることにより、上下方向に厚みのある内蓋として構成されている。そして、胴枠部材に入れた製品に包装用蓋材を重ね、胴枠部材の上端のフラップを閉じることにより、製品が包装されるようになっている。上記構成において、補強部材は、製品を梱包した箱を複数段に重ねる際の箱の強度不足を補うために用いられている。
【０００３】
特許文献１において、この補強部材には、複数枚の段ボールを重ねて形成したブロック状の４つの部材が用いられている。また、蓋部材は、その側面の外方から補強部材を挿入して該補強部材を保持するように構成されている。
【先行技術文献】
【特許文献】
【０００４】
【特許文献１】特開２００４−２６８９７９号公報
【発明の概要】
【発明が解決しようとする課題】
【０００５】
特許文献１の包装用箱では、蓋部材に多くの折り曲げ部や切り起こし部を形成することにより、補強部材を側方から挿入する開口部や該補強部材を保持する保持部が形成されており、構造が複雑になっている。また、特許文献１の包装用箱では、包装用蓋材の構造が複雑であるために、製品の包装作業を行う際の作業性も低下しがちである。
【０００６】
本発明は、このような問題点に鑑みてなされたものであり、その目的は、製品の上面を覆う包装用蓋材、及び製品の周囲を覆う胴枠部材と上記包装用蓋材とを有する包装用箱において、包装用蓋材の構成を簡単にするとともに、製品の包装作業をするときの作業性も高めることである。
【課題を解決するための手段】
【０００７】
第１の発明は、製品（1）の平坦な上面（3）を覆う蓋部材（30）と、蓋部材（30）に保持される補強部材（40）とを有する包装用蓋材を前提としている。
【０００８】
そして、この包装用蓋材は、上記蓋部材（30）が天板部（31）と該天板部（31）の端縁に連接して形成された折り返し片（32）とを有し、該天板部（31）とその下方へ折り返された折り返し片（32）とにより上記補強部材（40）が挟持されるように構成されていることを特徴としている。
【０００９】
この第１の発明では、包装用蓋材は、蓋部材（30）の天板部（31）と折り返し片（32）とにより補強部材（40）を挟持した状態で、製品（1）の上面に載置される。この包装用蓋材は、製品（1）の側板（2）を覆っている胴枠部材（20）に取り付ける構成において、外蓋として用いてもよいし、内蓋として用いてもよい。また、台座に載せた製品（1）の上面をこの包装用蓋材で覆い、台座と包装用蓋材を包装用バンドで締め付けるようにしてもよい。
【００１０】
第２の発明は、第１の発明において、上記補強部材（40）が、製品（1）の外形に対応する四角形状の部材であり、上記蓋部材（30）の天板部（31）は補強部材（40）の外形と対応する四角形状に形成され、上記天板部（31）の端縁における対向する二辺に上記折り返し片（32）が形成されていることを特徴としている。
【００１１】
この第２の発明では、四角形状の補強部材（40）が、その対向する二辺において天板部（31）と折り返し片（32）とで挟持されることにより蓋部材（30）に保持される。
【００１２】
第３の発明は、第１または第２の発明において、上記補強部材（40）が、４本の枠板（41，42）を組み合わせることにより形成され、上記折り返し片（32）には、上記天板部（31）と枠板（41，42）の間に補強部材（40）の中心側から挿入される係合片（34）が形成されていることを特徴としている。
【００１３】
この第３の発明では、枠状の補強部材（40）の二辺で蓋部材（30）の天板部（31）と補強部材（40）の枠板（41，42）との間に折り返し片（32）が挿入されて、天板部（31）と折り返し片（32）と係合片（34）とで枠板（41，42）が保持される。
【００１４】
第４の発明は、第３の発明において、上記補強部材（40）が、対向する一対の第１枠板（41）の端部に、対向する他の一対の第２枠板（42）の端部を重ねて固定することにより、隣り合う枠板（41，42）の間に形成された段差を有し、上記補強部材（40）は、天板部（31）の端縁における折り返し片（32）側の対向する二辺に沿って天板部（31）と第１枠板（41）との間に上記段差に対応した隙間（G）が形成される一方で、天板部（31）の端縁における他の対向する二辺では天板部（31）と第２枠板（42）とが接触するように配置され、上記折り返し片（32）の係合片（34）は、上記天板部（31）と第１枠板（41）の間の上記隙間（G）に補強部材（40）の中心側から挿入されるように形成されていることを特徴としている。
【００１５】
この第４の発明では、枠状の補強部材（40）の二辺で蓋部材（30）の天板部（31）と補強部材（40）の第１枠板（41）との間に隙間（G）が形成され、この隙間（G）に折り返し片（32）が挿入されて、天板部（31）と折り返し片（32）と係合片（34）とで枠板（41，42）が保持される。
【００１６】
第５の発明は、第２から第４の発明の何れか１つに記載された包装用蓋材（50）と、上記製品（1）の側板（2）を覆う胴枠部材（20）とを備えた包装用箱において、上記蓋部材（30）には、天板部（31）の端縁の対向する二辺に上記折り返し片（32）が形成される一方で、天板部（31）の端縁の対向する他の二辺に、上記胴枠部材（20）と製品（1）との間に挿入される挿入片（33）が形成されていることを特徴としている。
【００１７】
この第５の発明では、蓋部材（30）で補強部材（40）を保持したのち、天板部（31）に形成された挿入片（33）を胴枠部材（20）と製品（1）との間に挿入すると、製品（1）の周囲が胴枠部材（20）で覆われるとともに、製品（1）の上面（3）が蓋部材（30）で覆われる。
【００１８】
第６の発明は、第５の発明において、上記胴枠部材（20）が、角筒形状に形成されるとともに、対角位置で互いに係脱可能な断面Ｌ形の２つの胴板（21）を有していることを特徴としている。
【００１９】
この第６の発明では、Ｌ型の２つの胴板（21）を組み合わせることにより、角筒状の胴枠部材（20）が形成される。
【発明の効果】
【００２０】
本発明によれば、上記蓋部材（30）に天板部（31）と該天板部（31）の端縁に連接して形成された折り返し片（32）とを設け、該天板部（31）とその下方へ折り返された折り返し片（32）とにより上記補強部材（40）が挟持されるようにしているので、補強部材（40）を天板部（31）と折り返し片（32）で挟持するだけで蓋部材（30）で保持できる。そして、蓋部材（30）の天板部（31）と折り返し片（32）とにより補強部材（40）を挟持した状態で、製品（1）の上面（3）を覆うことができる。そして、本発明によれば、蓋部材（30）に補強部材（40）を取り付ける構成を簡単にすることができるし、構成が簡単になるので製品（1）の包装作業をするときの作業性も高めることができる。
【００２１】
上記第２の発明によれば、四角形状の補強部材（40）を、対向する二辺において天板部（31）と折り返し片（32）とで挟持することにより蓋部材（30）に保持することができるから、蓋部材（30）に補強部材（40）を取り付ける構成を簡単にすることができる。
【００２２】
上記第３の発明によれば、枠状の補強部材（40）の二辺において蓋部材（30）の天板部（31）と補強部材（40）の枠板（41，42）との間に折り返し片（32）が挿入されて、天板部（31）と折り返し片（32）と係合片（34）とで枠板（41，42）が保持されるので、蓋部材（30）に補強部材（40）を簡単に取り付けることができる。
【００２３】
上記第４の発明によれば、枠状の補強部材（40）の二辺側で蓋部材（30）の天板部（31）と補強部材（40）の第１枠板（41）との間に隙間（G）が形成され、この隙間（G）に折り返し片（32）が挿入されて、天板部（31）と折り返し片（32）と係合片（34）とで枠板（41，42）が保持されるので、蓋部材（30）に補強部材（40）を簡単に取り付けることが可能になる。
【００２４】
上記第５の発明によれば、蓋部材（30）で補強部材（40）を保持したのち、天板部（31）に形成された挿入片（33）を胴枠部材（20）と製品（1）との間に挿入すると、製品（1）の周囲を胴枠部材（20）で覆うとともに、製品（1）の上面（3）を蓋部材（30）で覆うことができるので、製品（1）の側板の周囲を覆う胴枠部材（20）と製品（1）の上面を覆う包装用蓋材（50）とを有する包装用箱を用いて製品（1）の包装作業をするときの作業を容易に行うことができる。
【００２５】
上記第６の発明によれば、Ｌ型の２つの胴板（21）を組み合わせることにより、角筒状の胴枠部材（20）を形成することができるから、蓋部材（30）を胴枠部材（20）に取り付けるときの作業性だけでなく、胴枠部材（20）を組み立てるときの作業性も高めることができる。
【図面の簡単な説明】
【００２６】
【図１】図１は、本発明の実施形態に係る包装用箱の外観を示す斜視図である。
【図２】図２は、図１の包装用箱の蓋部材の展開図である。
【図３】図３（Ａ）は補強部材の平面図、図３（Ｂ）は側面図、図３（Ｃ）は補強部材を蓋部材で保持した状態の断面図である。
【図４】図４は、胴枠部材を構成する胴板の展開図である。
【図５】図５は、包装用箱の組み立て状態を示す分解斜視図である。
【図６】図６は、包装用箱の組み立て工程図である。
【発明を実施するための形態】
【００２７】
以下、本発明の実施形態を図面に基づいて詳細に説明する。
【００２８】
本実施形態は、業務用の空気調和装置の室外機を梱包するための包装用箱（10）に関するものである。図１は、この実施形態に係る包装用箱（10）の外観形状を示す斜視図である。
【００２９】
この包装用箱（10）は、図１には示していない縦長直方体の製品（1）の側板（2）を覆う胴枠部材（20）と、該製品（1）の平坦な上面（3）を覆う包装用蓋材（50）とを有している。また、包装用蓋材（50）は、詳細は後述するが、蓋部材（30）と仮想線で示した補強部材（40）とを有している。胴枠部材（20）と蓋部材（30）は段ボールにより形成され、補強部材（40）は木材により形成されている。胴枠部材（20）は、角筒形状に形成されるとともに、対角位置で互いに係脱可能なＬ形の２つの胴板（21）から構成されている（図５参照）。
【００３０】
図２は蓋部材（30）の展開図である。図３（Ａ）は補強部材（40）の平面図、図３（Ｂ）は側面図、図３（Ｃ）は補強部材（40）を蓋部材（30）で保持した状態の断面図である。また、図４は胴枠部材（20）を構成する胴板（21）の展開図である。
【００３１】
上記蓋部材（30）は、長方形の天板部（31）と、該天板部（31）の端縁の四辺に連接して形成された折り返し片（32）及び挿入片（33）とを有している。天板部（31）の端縁における対向する二辺である各短辺（図の左右の二辺）には、２本の第１折り罫（32a）を介して折り返し片（32）が連接している。また、天板部（31）の端縁における他の対向する二辺である各長辺（図の上下の二辺）には、１本の第２折り罫（33a）を介して挿入片（33）が連接している。各折り返し片（32）の先端中央部には、それぞれ２本の第３折り罫を介して係合片（34）が形成されている。上記挿入片（33）は、上記胴枠部材（20）と製品（1）との間に挿入することにより、蓋部材（30）が外れるのを防止するフラップである（図５，図６参照）。
【００３２】
上記補強部材（40）は、４本の枠板（41，42）を組み合わせることにより製品（1）の外形に対応する形状（製品（1）の外形とほぼ一致する大きさ）に形成された四角い枠状部材である。そして、上記蓋部材（30）の天板部（31）は、この補強部材（40）の外形と対応する四角形状に形成されている。つまり、補強部材（40）の外形と、第１折り罫（32a）及び第２折り罫（33a）で囲まれる天板部（31）の外形が、実質的に一致する形状になっている。この補強部材（40）では、短辺側で対向する一対の第１枠板（41）の端部に、長辺側で対向する他の一対の第２枠板（42）の端部を重ねて固定することにより、隣り合う枠板（41，42）に段差が形成されている。
【００３３】
補強部材（40）は、その短辺側の第１枠板（41）を天板部（31）の短辺に合わせ、その長辺側の第２枠板（42）を天板部（31）の長辺に合わせて配置される。このとき、短辺側の第１枠板（41）と天板部（31）との間には隙間（G）が形成され、長辺側の第２枠板（42）は天板と接する。つまり、上記補強部材（40）は、天板の端縁に折り返し片（32）が形成されている二辺に沿って天板部（31）と第１枠板（41）との間に上記段差に対応した隙間（G）が形成される一方で、天板の端縁に挿入片（33）が形成されている他の二辺では天板部（31）と第２枠板（42）とが接触する。
【００３４】
図３（Ｃ）に示すように天板部（31）の長辺側で天板部（31）と第２枠板（42）とが接触し、天板部（31）の短辺側で天板部（31）と第１枠板（41）との間に隙間（G）が形成された状態で、上記折り返し片（32）の係合片（34）は、上記隙間（G）に補強部材（40）の中心側から挿入されるように形成されている。このように、本実施形態では、係合片（34）を上記隙間（G）に挿入することにより、上記天板部（31）とその下方へ折り返された折り返し片（32）とで上記補強部材（40）が挟持されて、包装用蓋材（50）が構成されるようになっている。
【００３５】
２つの胴板（21）は同一形状に形成されている。各胴板（21）は、図４に示すように、波板の稜線が図の縦方向にのびる段ボールにより形成され、第４折り罫（24）を介して隣り合う第１側板部（22）と第２側板部（23）とを有している。第１側板部（22）は製品（1）の短辺側の側板（2）（図５参照）と実質的に同じ大きさであり、第２側板部（23）は製品（1）の長辺側の側板（2）と実質的に同じ大きさである。このようにするために、胴板（21）の第１側板部（22）及び第２側板部（23）の左右の両側縁は、製品（1）の角部の稜線と一致するように形成されている。
【００３６】
図４における第２側板部（23）の左縁部には、２枚の銅板を組み合わせるときに第１側板（2）を受けるための受け部（25）が設けられている。第２側板部（23）と受け部（25）の間には、第５折り罫（25a）が形成されている。
【００３７】
一方、図４における第１側板部（22）の右縁部には上下２箇所に差し込み片（26）が形成され、第２側板部（23）には第５折り罫（25a）に沿って差し込み片（26）を挿入するためのスリット（27）が上下２箇所に形成されている。また、第２側板部（23）には固定爪（28a）が形成され、差し込み片（26）には固定爪（28a）を挿入する固定孔（28b）が形成されている。
【００３８】
−梱包作業−
次に、本実施形態の包装用箱（10）を用いて製品（1）を梱包する作業を説明する。
【００３９】
まず、２枚の胴板（21）をＬ形に折り曲げて、製品（1）と高さを揃えて該製品（1）の周囲に位置させる。そして、各胴板（21）の受け部（25）に相手側の胴板（21）の第１側板部（22）を重ねながら、各胴板（21）の差し込み片（26）を相手側の胴板（21）のスリット（27）に差し込む。この状態で、胴板（21）の第１側板部（22）と第２側板部（23）が製品（1）の側板（2）に接する。さらに、固定爪（28a）を固定孔（28b）に挿入し、スリット（27）から差し込み片（26）が抜けるのを防止する。こうすることにより、製品（1）の周囲が胴枠部材（20）で確実に保護される。
【００４０】
次に、胴枠部材（20）の上端に包装用蓋材（50）を取り付ける。包装用蓋材（50）は、胴枠部材（20）に取り付けるに際し、蓋部材（30）と補強部材（40）を用いて前もって組み立てておくとよい。
【００４１】
具体的には、図６（Ａ）に示すように、各部を折り曲げていない蓋部材（30）の天板部（31）に補強部材（40）を重ね合わせ、第２枠板（42）が天板部（31）に接触し、第１枠板（41）と天板部（31）との間に隙間（G）（図３（Ｃ）参照）ができるようにする。次に、図６（Ｂ），（Ｃ）及び図３（Ｃ）に示すように、折り返し片（32）を天板部（31）に対して折り曲げ、さらに係合片（34）を折り返し片（32）に対して折り曲げて、該係合片（34）を第１枠板（41）と天板部（31）との間の隙間（G）に補強部材（40）の中心側から挿入する。そして、天板部（31）の長辺側の挿入片（33）を天板部（31）に対して折り曲げる。
【００４２】
このようにして組み立てた包装用蓋材（50）を、次に図６（Ｄ）〜図６（Ｆ）に示すように、挿入片（33）を製品（1）の側板（2）と胴枠部材（20）の間に滑り込ませながら装着する。包装用蓋材（50）を胴枠部材（20）に装着した後は、包装用蓋材（50）を胴枠部材（20）に短い粘着テープで接着固定するとよい。
【００４３】
本実施形態では、以上の簡単な作業で製品（1）を梱包することができる。
【００４４】
−実施形態の効果−
本実施形態によれば、蓋部材（30）に補強部材（40）を重ねた状態で折り返し片（32）や係合片（34）を折り曲げるだけで包装用蓋材（50）を組み立てて、補強部材（40）を確実に保持することができる。そして、従来とは異なり、蓋部材（30）に多くの折り曲げ部や切り起こし部を形成して補強部材（40）を挿入する開口部などを設けなくてよいので、包装用蓋材（50）の構造を簡単にすることができる。また、包装用蓋材（50）の構造を簡単にすることができるので、製品（1）の包装作業を行う際の作業性も高めることができる。組み立てた包装用蓋材（50）は挿入片（33）を製品（1）と胴枠部材（20）の間に差し込むことで位置決めできるから、包装用蓋材（50）が不用意に動いてしまうことも防止できる。
【００４５】
また、本実施形態では、木材を枠状に組んだものを補強部材（40）に用いているが、この枠状部材を段ボールの蓋部材（30）で巻き込むようにしているので、製品（1）の上面（3）に木材が接することはない。製品（1）の上面（3）に木材が接すると製品（1）の塗装が剥がれる可能性があるが、本実施形態ではそのような問題は生じない。さらに、木材の補強部材（40）を用いているが、タッカーのようにステープルで木材を固定する工具は不要であり、作業を容易に行える。なお、蓋部材（30）をこのように簡単な構成にすることを可能にしているのは、製品（1）の上面を平坦な形状にすることも寄与している。
【００４６】
また、製品（1）を入れた胴枠部材（20）に包装用蓋材（50）を重ね、胴枠部材（20）の上端に形成したフラップを閉じることにより製品（1）を梱包する従来の構成では、フラップの端縁を全長にわたって粘着テープで閉じる必要がある。この従来の構成では、粘着テープが長いうえに製品（1）の上面（3）が高い位置にあるので作業を行いにくいのに対して、本実施形態では胴枠部材（20）と包装用蓋材（50）の角を２箇所程度、短い粘着テープで固定すればよいため、作業性に優れている。
【００４７】
さらに、本実施形態では、胴枠部材（20）を同じ形状の２枚の胴板（21）で構成しているので、胴枠部材（20）の構成が簡単であり、４枚の胴板を用いるものに対して部品点数も少なくすることができる。
【００４８】
《その他の実施形態》
上記実施形態については、以下のような構成としてもよい。
【００４９】
上記実施形態では、補強部材（40）を、第１枠板（41）の端部に第２枠板（42）の端部を重ねることにより第１枠板（41）と第２枠板（42）に段差ができるようにしているが、第１枠板（41）と第２枠板（42）の端部の高さを合わせることにより段差が形成されないようにしてもよい。このようにすると、補強部材（40）を天板部（31）に重ねるときに第１枠板（41）と天板部（31）との間に隙間（G）はできないが、蓋部材（30）の折り返し片（32）と係合片（34）で第１枠板（41）を巻き込んで補強部材（40）を保持することは可能である。したがって、上記実施形態とほぼ同様の効果を奏することができる。
【００５０】
また、上記実施形態で説明した係合片（34）も必ず設ける必要はなく、補強部材（40）も必ずしも枠状にしなくてもよい。要するに、本願発明では、天板部（31）と折り返し片（32）とで補強部材（40）を挟持する構成になっている限り、蓋部材（30）や補強部材（40）の構成は適宜変更してもよい。
【００５１】
また、胴枠部材（20）の構成も、１枚の段ボールで製品（1）の４面の側板（2）を覆うようにするなど、適宜変更してもよい。
【００５２】
さらに、上記実施形態では、この包装用蓋材（50）を、製品（1）の側板（2）を覆っている胴枠部材（20）に取り付ける外蓋として用いているが、内蓋として用いてもよい。また、台座に載せた製品（1）の上面を本発明の包装用蓋材（50）で覆い、台座と包装用蓋材（50）を包装用バンドで締め付けるようにしてもよい。
【００５３】
なお、以上の実施形態は、本質的に好ましい例示であって、本発明、その適用物、あるいはその用途の範囲を制限することを意図するものではない。
【産業上の利用可能性】
【００５４】
以上説明したように、本発明は、製品の上面を覆う包装用蓋材、及び製品の側板の周囲を覆う胴枠部材と上記包装用蓋材とを有する包装用箱について有用である。
【符号の説明】
【００５５】
1   製品
2   側板
3   上面
10  包装用箱
20  胴枠部材
21  胴板
30  蓋部材
31  天板部
32  折り返し片
33  挿入片
34  係合片
40  補強部材
41  第１枠板
42  第２枠板
50  包装用蓋材
G   隙間
【図１】
2014076810.tif 000003
【図２】
2014076810.tif 000004
【図３】
2014076810.tif 000005
【図４】
2014076810.tif 000006
【図５】
2014076810.tif 000007
【図６】
2014076810.tif 000008